(57)【要約】【課題】貯湯タンクが大型化する場合においても、発泡性断熱部材の着脱作業の作業効率の低下を抑制し得る技術を提供する。【解決手段】発泡性断熱部材３０は、貯湯タンク２２の軸方向下方の外周面を覆う第１の筒部５０と、貯湯タンク２２の軸方向上方の外周面を覆う第２の筒部７０とを備え、第１の筒部５０と第２の筒部７０は、それぞれ、左側部（５２、７２）、右側部（５４、７４）を備えている。第１の筒部５０（第１の左側部５２と第１の右側部５４）、及び、第２の筒部７０（第２の左側部７２と第２の右側部７４）は、底面部４０、リング部６０、及び、上面部８０によって、貯湯タンク２２方向に押圧されて保持される。【選択図】  図２
2013253727.tif 000002
【特許請求の範囲】
【請求項１】
断熱式貯湯装置であって、
略円柱状の貯湯タンクと、
貯湯タンクを覆う発泡性断熱部材と、
貯湯タンクと発泡性断熱部材との間の少なくとも一部に配置される真空断熱部材と、
を備え、
発泡性断熱部材は、
第１の筒部と、
第２の筒部と、
底面部と、
リング部と、
上面部と、を備えており、
第１の筒部は、貯湯タンクの軸方向の一部の外周面を覆う筒状の部分であって、第１の左側部と、第１の右側部と、を備えており、
第２の筒部は、貯湯タンクの軸方向の他の一部の外周面を覆う筒状の部分であって、第２の左側部と、第２の右側部と、を備えており、
底面部は、貯湯タンクの底面の外周面を覆うとともに、第１の左側部の下端と第１の右側部の下端とを、貯湯タンク方向に押圧して保持し、
リング部は、第１の左側部の上端と第１の右側部の上端とを、貯湯タンク方向に押圧して保持するとともに、第２の左側部の下端と第２の右側部の下端とを、貯湯タンク方向に押圧して保持し、
上面部は、貯湯タンクの上面の外周面を覆うとともに、第２の左側部の上端と第２の右側部の上端とを、貯湯タンク方向に押圧して保持する、
ことを特徴とする断熱式貯湯装置。
【請求項２】
請求項１に記載の断熱式貯湯装置と、
貯湯タンク内の温水を温水利用箇所に供給する給湯経路を備える、
ことを特徴とする貯湯式給湯装置。
【発明の詳細な説明】
【技術分野】
【０００１】
本明細書で開示する技術は、断熱式貯湯装置と、その断熱式貯湯装置を備える貯湯式給湯装置に関する。
【背景技術】
【０００２】
ヒートポンプやガス給湯器などで加熱した温水を貯湯タンクに貯湯しておき、貯湯しておいた温水を必要時に必要箇所に供給する給湯技術が知られている。また、貯湯タンクを断熱材で覆うことによって、貯湯タンクに貯湯している温水の温度が低下することを防止する技術も知られている。
【０００３】
特許文献１には、略円柱状の貯湯タンクの外周面の一部を真空断熱部材で覆い、その外側を発泡性断熱部材で覆った断熱式貯湯装置が開示されている。なお、真空断熱部材は、２枚のフィルムの間に多孔性の芯材を挟み込み、挟み込んだ芯材の周囲を一巡する範囲において２枚のフィルムを溶着し、芯材の存在範囲を真空状態に封止したものである。
【先行技術文献】
【特許文献】
【０００４】
【特許文献１】特開２００７−２１２０６２号公報
【発明の概要】
【発明が解決しようとする課題】
【０００５】
従来の技術では、通常、貯湯タンクを覆う発泡性断熱部材は、略円柱状の貯湯タンクの外周面の右半分全面を覆う右側部分と、略円柱状の貯湯タンクの外周面の左半分全面を覆う左側部分とを組み合わせて形成されている。従来の技術では、貯湯タンクが大型になると、貯湯タンクを覆うための右側部分と左側部分もそれぞれ大型化するため、貯湯タンクを発泡性断熱部材で覆う作業、及び、発泡性断熱部材を貯湯タンクから取り外す作業の作業効率が低下する場合がある。本明細書では、貯湯タンクが大型化する場合においても、発泡性断熱部材の着脱作業の作業効率の低下を抑制し得る技術を提供する。
【課題を解決するための手段】
【０００６】
本明細書が開示する断熱式貯湯装置は、略円柱状の貯湯タンクと、貯湯タンクを覆う発泡性断熱部材と、貯湯タンクと発泡性断熱部材との間の少なくとも一部に配置される真空断熱部材と、を備える。発泡性断熱部材は、第１の筒部と、第２の筒部と、底面部と、リング部と、上面部と、を備えている。第１の筒部は、貯湯タンクの軸方向の一部の外周面を覆う筒状の部分であって、第１の左側部と、第１の右側部と、を備えている。第２の筒部は、貯湯タンクの軸方向の他の一部の外周面を覆う筒状の部分であって、第２の左側部と、第２の右側部と、を備えている。底面部は、貯湯タンクの底面を覆うとともに、第１の左側部の下端と第１の右側部の下端とを、貯湯タンク方向に押圧して保持する。リング部は、第１の左側部の上端と第１の右側部の上端とを、貯湯タンク方向に押圧して保持するとともに、第２の左側部の下端と第２の右側部の下端とを、貯湯タンク方向に押圧して保持する。上面部は、貯湯タンクの上面の外周面を覆うとともに、第２の左側部の上端と第２の右側部の上端とを、貯湯タンク方向に押圧して保持する。
【０００７】
上記の発泡性断熱部材は、例えば、発泡スチロール製の断熱部材である。また、上記の真空断熱部材は、２枚のフィルムの間に多孔性の芯材を挟み込み、挟み込んだ芯材の周囲を一巡する範囲において２枚のフィルムを溶着し、芯材の存在範囲を真空状態に封止したものである。
【０００８】
上記の断熱式貯湯装置では、発泡性断熱部材は、貯湯タンクの軸方向の一部の外周面を覆う第１の筒部と、貯湯タンクの軸方向の他の一部の外周面を覆う第２の筒部とを備え、第１の筒部と第２の筒部は、それぞれ、左側部、右側部を備えている。上記の断熱式貯湯装置によると、第１の筒部（第１の左側部と第１の右側部）、及び、第２の筒部（第２の左側部と第２の右側部）は、底面部、リング部、及び、上面部によって、貯湯タンク方向に押圧されて保持される。そのため、上記の断熱式貯湯装置によると、貯湯タンクが大型化する場合であっても、比較的サイズの小さい第１の筒部（第１の左側部と第１の右側部）、及び、第２の筒部（第２の左側部と第２の右側部）を組み合わせて、貯湯タンクを被覆することができる。そのため、従来の断熱式貯湯装置における発泡性断熱部材のように、貯湯タンクの外周面の右半分全面を覆う右側部分と、貯湯タンクの外周面の左半分全面を覆う左側部分の二つの部材のみによって貯湯タンクを被覆する必要がない。従って、上記の断熱式貯湯装置によれば、例えば、貯湯タンクが大型である場合においても、発泡性断熱部材の着脱作業の作業効率の低下を抑制することができる。
【０００９】
また、上記の構成によると、第１の筒部、第２の筒部、底面部、リング部、及び、上面部によって、貯湯タンクの外側の全面を被覆することができる。従って、貯湯タンクに貯湯している温水の温度が低下することを効果的に防止することができる。
【図面の簡単な説明】
【００１０】
【図１】貯湯式給湯装置を模式的に示す斜視図。
【図２】貯湯式給湯装置を模式的に示す分解斜視図。
【図３】断熱式貯湯装置を模式的に示す断面図。
【図４】図３のＩＶ部分の拡大図。
【図５】図３のＶ部分の拡大図。
【図６】図３のＶＩ部分の拡大図。
【図７】貯湯タンクを発泡性断熱部材で覆う様子を模式的に示す分解斜視図。
【図８】貯湯タンクを発泡性断熱部材で覆う様子を模式的に示す分解斜視図。
【発明を実施するための形態】
【００１１】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１２】
（特徴１）本明細書は、さらに、上記の断熱式貯湯装置と、貯湯タンク内の温水を温水利用箇所に供給する給湯経路を備える貯湯式給湯装置を開示する。
【００１３】
（実施例）
図１に示すように、本実施例に係る貯湯式給湯装置２は、ヒートポンプで加熱した温水を貯湯タンクに貯湯しておき、貯湯しておいた温水を必要時に必要箇所に供給する給湯装置である。貯湯式給湯装置２は、筐体４と、断熱式貯湯装置２０とを備えている。断熱式貯湯装置２０は、筐体４内に備えられている。なお、図１では、断熱式貯湯装置２０及び筐体４の周囲に備えられる給湯経路等、各種配管類の図示を省略している。
【００１４】
筐体４は、断熱式貯湯装置２０を収容可能な箱状部材である。筐体４の下端には、底板１２が設けられている。筐体４は、底板１２と、正面板材４ａを含む複数枚の板材４ａ、４ｂ、４ｃ、４ｄ、４ｅ等とによって形成されている。正面板材４ａの下端付近には、各種配管類を挿通させるための複数個の配設孔６が形成されている。また、正面板材４ａの下端には、工具を挿入するための作業孔８も形成されている。
【００１５】
図２は、本実施例の貯湯式給湯装置２の分解斜視図を模式的に示している。図２では、筐体４は、正面板材４ａ以外の板材４ｂ〜４ｅ（図１参照）等を取り外した様子を示す。図２に示すように、正面板材４ａの上方には枠体１０が設けられている。枠体１０には、図示しないコントローラ等を取り付けることができる。
【００１６】
底板１２の上面には、小取付板１４と、大取付板１６が設けられている。小取付板１４及び大取付板１６は、いずれも、底板１２の上面に対して鉛直に備えられている。小取付板１４と大取付板１６には、ネジ孔が形成されている。小取付板１４は、正面板材４ａの近傍に備えられており、作業孔８と対向する位置に備えられている。
【００１７】
図２に示すように、断熱式貯湯装置２０は、貯湯タンク２２と、貯湯タンク２２を覆う発泡性断熱部材３０と、三本の脚２４ａ、２４ｂ、２４ｃとを備える。貯湯タンク２２は、ステンレス製の貯湯タンクであり、図示しないヒートポンプで加熱された温水を貯湯する。貯湯タンク２２は、略円柱状に形成されている。貯湯タンク２２の容量は、例えば１００Ｌである。
【００１８】
三本の脚２４ａ〜２４ｃは、貯湯タンク２２の底面の外周面に取り付けられている。三本の脚２４ａ〜２４ｃは、略等間隔（略１２０°間隔）で取り付けられている。三本の脚２４ａ〜２４ｃのうち、二本の脚２４ａ、２４ｂの下端部分の間には、板材２６が固定されている。板材２６には、２個のネジ孔が形成されている。また、脚２４ｃの下端部分にも、ネジ孔が形成されている。断熱式貯湯装置２０は、三本の脚２４ａ〜２４ｃを底板１２に固定することによって、底板１２上に設置される。
【００１９】
断熱式貯湯装置２０を底板１２上に設置する場合、まず、脚２４ｃと小取付板１４と並べて配置し、正面板材４ａの外側から、作業孔８を通して工具を挿入し、小取付板１４と脚２４ｃとをビスで固定する。さらに、板材２６と大取付板１６とを並べて配置し、板材２６と大取付板１６とをビスで固定する。これにより、断熱式貯湯装置２０は底板１２上に設置される。
【００２０】
発泡性断熱部材３０は、貯湯タンク２２を覆う断熱部材である。本実施例では、発泡性断熱部材３０は、発泡スチロールで形成されている。発泡性断熱部材３０は、下方から順に、底面部４０と、第１の筒部５０と、リング部６０と、第２の筒部７０と、上面部８０とを備える。
【００２１】
底面部４０は、貯湯タンク２２の底面の外周面を被覆する。図３の断面図に示すように、底面部４０は、上面開口の略半球状に形成されている。なお、図３では、発泡性断熱部材３０の断面のみを図示し、貯湯タンク２２の断面は図示しない。底面部４０の内周面は、貯湯タンク２２の底面の外周面に接するように取り付けられている。なお、図示しないが、底面部４０には、貯湯タンク２２の底面に備えられた脚２４ａ〜２４ｃを挿通させるための孔が形成されている。図４に示すように、底面部４０の開口縁部４２には、後述の第１の筒部５０の下端部（即ち、下端部５２ａ、５４ａ）の段差と係合可能な段差が形成されている。また、開口縁部４２の段差部分の内径は、第１の筒部５０の下端部の段差部分の外径とほぼ同じか、又は、第１の筒部５０の下端部の段差部分の外径よりもわずかに小さい。そのため、開口縁部４２の段差は、第１の筒部５０の下端部の段差と係合するとともに、第１の筒部５０の下端部を貯湯タンク２２方向に押圧して保持する。
【００２２】
図２に示すように、第１の筒部５０は、貯湯タンク２２の軸方向下方寄りの外周面を被覆する。第１の筒部５０は、第１の左側部５２と、第１の右側部５４とを備える。また、第１の左側部５２と第１の右側部５４との当接部分には、貫通孔５６が形成される。貫通孔５６を通じて、貯湯タンク２２の表面に図示しないサーミスタを取り付けることができる。貫通孔５６は、閉塞板５８によって閉塞されている。本実施例では、閉塞板５８も、発泡スチロールで形成されている。
【００２３】
第１の左側部５２は、貯湯タンク２２の軸方向下方寄りの外周面のうち、左側部分を被覆する。第１の左側部５２の下端部５２ａには、上記の底面部４０の開口縁部４２の段差と係合可能な段差が形成されている（図３及び図４参照）。また、第１の左側部５２の上端部５２ｂには、リング部６０の下端開口縁６２の段差と係合可能な段差が形成されている（図３及び図５参照）。また、図７に示すように、第１の左側部５２の内周面には、固定部５３が形成されており、固定部５３には真空断熱材１００が備えられている。
【００２４】
真空断熱材１００は、２枚のフィルムの間に多孔性の芯材を挟み込み、挟み込んだ芯材の周囲を一巡する範囲において２枚のフィルムを溶着し、芯材の存在範囲を真空状態に封止したものである。一般に、真空断熱材１００の断熱性能は、発泡性断熱部材３０の断熱性能より高い。
【００２５】
また、第１の左側部５２の側端部５２ｃには、第１の右側部５４の側端部５４ｃの段差（図示しない）と係合可能な段差（図示しない）が形成されている。また、第１の左側部５２の側端部５２ｃには、切り欠き部５２ｄが形成されている。
【００２６】
第１の右側部５４は、貯湯タンク２２の軸方向下方寄りの外周面のうち、右側部分を被覆する。第１の右側部５４は、第１の左側部５２とほぼ同様の構成を有する。即ち、第１の右側部５４の下端部にも、底面部４０の開口縁部４２の段差と係合可能な段差が形成されている（図３及び図４参照）。また、第１の右側部５４の上端部５４ｂにも、リング部６０の下端開口縁６２の段差と係合可能な段差が形成されている（図３及び図５参照）。また、図７に示すように、第１の右側部５４の内周面にも、固定部５５が形成されており、固定部５５には真空断熱材１００が備えられている。第１の右側部５４の側端部５４ｃには、第１の左側部５２の側端部５２ｃの段差（図示しない）と係合可能な段差（図示しない）が形成されている。第１の右側部５４の側端部５４ｃにも、切り欠き部５４ｄが形成されている。
【００２７】
第１の左側部５２と第１の右側部５４とを組み合わせることにより、第１の左側部５２の側端部５２ｃと第１の右側部５４の側端部５４ｃとが係合する。これにより、第１の左側部５２の切り欠き部５２ｄと、第１の右側部５４の切り欠き部５４ｄとが組み合わせられ、貫通孔５６が形成される。
【００２８】
リング部６０は、環状の部材である（図７参照）。リング部６０の下端開口縁６２には、上記の第１の筒部５０の上端部（即ち、上端部５２ｂ、５４ｂ）の段差と係合可能な段差が形成されている（図５参照）。リング部６０の下端開口縁６２の段差部分の内径は、第１の筒部５０の上端部の段差の外径とほぼ同じか、又は、第１の筒部５０の上端部の段差の外径よりもわずかに小さい。また、リング部６０の上端開口縁６４には、後述の第２の筒部７０の下端部（即ち、下端部７２ａ、７４ａ）の段差と係合可能な段差が形成されている（図５参照）。リング部６０の上端開口縁６４の段差部分の内径は、第２の筒部７０の下端部の段差の外径とほぼ同じか、又は、第２の筒部７０の下端部の段差の外径よりもわずかに小さい。
【００２９】
即ち、リング部６０の下端開口縁６２の段差は、第１の筒部５０の上端部（上端部５２ｂ、５４ｂ）の段差と係合するとともに、第１の筒部５０の上端部を貯湯タンク２２方向に押圧して保持する。同様に、リング部６０の上端開口縁６４の段差は、第２の筒部７０の下端部（下端部７２ａ、７４ａ）の段差と係合するとともに、第２の筒部７０の下端部を貯湯タンク２２方向に押圧して保持する。
【００３０】
図２に示すように、第２の筒部７０は、貯湯タンク２２の軸方向上方寄りの外周面を被覆する。第２の筒部７０は、第２の左側部７２と、第２の右側部７４とを備える。また、第２の左側部７２と第２の右側部７４との当接部分には、２個の貫通孔７６が形成される。貫通孔７６の機能は、上記の貫通孔５６と同様である。２個の貫通孔７６は、それぞれ、閉塞板７８によって閉塞されている。閉塞板７８も、発泡スチロールで形成されている。
【００３１】
第２の左側部７２は、貯湯タンク２２の軸方向上方寄りの外周面のうち、左側部分を被覆する。第２の左側部７２の下端部７２ａには、上記のリング部６０の上端開口縁６４の段差と係合する段差が形成されている（図３及び図５参照）。また、第２の左側部７２の上端部７２ｂには、後述の上面部８０の開口縁部８２の段差と係合可能な段差が形成されている（図３及び図６参照）。また、図８に示すように、第２の左側部７２の内周面には、固定部７３が形成されており、固定部７３には真空断熱材１００が備えられている。
【００３２】
また、第２の左側部７２の側端部７２ｃには、第２の右側部７４の側端部７４ｃの段差（図示しない）と係合可能な段差（図示しない）が形成されている。第２の左側部７２の側端部７２ｃには、２個の切り欠き部７２ｄが形成されている。
【００３３】
第２の右側部７４は、貯湯タンク２２の軸方向上方寄りの外周面のうち、右側部分を被覆する。第２の右側部７４は、第２の左側部７２とほぼ同様の構成を有する。即ち、第２の右側部７４の下端部にも、リング部６０の上端開口縁６４の段差と係合可能な段差が形成されている（図３及び図５参照）。また、第２の右側部７４の上端部７４ｂにも、後述の上面部８０の開口縁部８２の段差と係合可能な段差が形成されている（図３及び図６参照）。また、図８に示すように、第２の右側部７４の内周面にも、固定部７５が形成されており、固定部７５には真空断熱材１００が備えられている。第２の右側部７４の側端部７４ｃには、第２の左側部７２の側端部７２ｃの段差（図示しない）と係合可能な段差（図示しない）が形成されている。第２の右側部７４の側端部７４ｃにも、２個の切り欠き部７４ｄが形成されている。
【００３４】
第２の左側部７２と第２の右側部７４とを組み合わせることにより、第２の左側部７２の側端部７２ｃと第２の右側部７４の側端部７４ｃとが係合する。これにより、第２の左側部７２の２個の切り欠き部７２ｄと、第２の右側部７４の２個の切り欠き部７４ｄとがそれぞれ組み合わせられ、２個の貫通孔７６が形成される。
【００３５】
上面部８０は、貯湯タンク２２の上面の外周面を被覆する。図３の断面図に示すように、上面部８０は、下面開口の略半球状に形成されている。上面部８０の内周面は、貯湯タンク２２の上面の外周面に接するように取り付けられている。図６に示すように、上面部８０の開口縁部８２には、上記の第２の筒部７０の上端部（即ち、上端部７２ｂ、７４ｂ）の段差と係合可能な段差が形成されている。また、開口縁部８２の段差部分の内径は、第２の筒部７０の上端部の段差部分の外径とほぼ同じか、又は、第２の筒部７０の下端部の段差部分の外径よりもわずかに小さい。そのため、開口縁部８２の段差は、第２の筒部７０の上端部の段差と係合するとともに、第２の筒部７０の上端部を貯湯タンク２２方向に押圧して保持する。上面部８０には、配管を挿通するための挿通孔８４や、貯湯タンク２２の上面にサーミスタを取り付けるための貫通孔（図示省略）等が形成されている。
【００３６】
なお、図３に示すように、貯湯タンク２２を覆う底面部４０、第１の筒部５０、リング部６０、第２の筒部７０、及び、上面部８０の各部材の連結部分の表面は略面一であって、凹凸が形成されていない。このため、発泡性断熱部材３０の表面に沿って配管を配置する際に、発泡性断熱部材３０の表面と配管との間に無駄な空間が形成され難くなる。
【００３７】
続いて、本実施例において、貯湯タンク２２の外周面を発泡性断熱部材３０（底面部４０、第１の筒部５０、リング部６０、第２の筒部７０、及び、上面部８０）によって覆う手順を、図７、図８を参照して説明する。
【００３８】
まず、底面部４０によって、貯湯タンク２２の底面の外周面を被覆する。この際、貯湯タンク２２の底面に備えられている脚２４ａ〜２４ｃは、底面部４０に設けられている孔（図示しない）から外側に突出させる。
【００３９】
なお、本実施例では、脚２４ａ、２４ｂへの板材２６（図２参照）の取り付け、板材２６と大取付板１６との固定、及び、脚２４ｃと小取付板１４との固定は、少なくとも、底面部４０を取り付けた後に行う。
【００４０】
次いで、図７に示すように、第１の左側部５２と第１の右側部５４とを取り付ける。具体的には、まず、第１の左側部５２の内周面及び第１の右側部５４の内周面によって、貯湯タンク２２の外周面を覆うとともに、第１の左側部５２の側端部５２ｃと第１の右側部５４の側端部５４ｃとを当接させ、側端部５２ｃ、５４ｃの段差同士を係合させる。これにより、第１の筒部５０が形成される。次いで、第１の筒部５０の下端部（即ち、下端部５２ａ、５４ａ）の段差を、底面部４０の開口縁部４２の段差と係合させる（図４参照）。
【００４１】
次いで、図７に示すように、リング部６０を取り付ける。具体的には、リング部６０の下端開口縁６２の段差を、第１の筒部５０の上端部（即ち、上端部５２ｂ、５４ｂ）の段差と係合させる（図５参照）。
【００４２】
この結果、第１の筒部５０は、その下端部（即ち、下端部５２ａ、５４ａ）が、底面部４０の開口縁部４２によって貯湯タンク２２方向に押圧されて保持されるとともに、その上端部（即ち、上端部５２ｂ、５４ｂ）が、リング部６０の下端開口縁６２によって貯湯タンク２２方向に押圧されて保持される。従って、第１の筒部５０は、貯湯タンク２２の外周面を被覆した状態で保持される。このとき、第１の左側部５２と第１の右側部５４の内周面に備えられている真空断熱材１００も、それぞれ、貯湯タンク２２の外周面に押し付けられた状態で保持される。
【００４３】
次いで、第１の筒部５０に形成される貫通孔５６を、閉塞板５８で閉塞する。
【００４４】
次いで、図８に示すように、第２の左側部７２と第２の右側部７４とを取り付ける。具体的には、第２の左側部７２の内周面及び第２の右側部７４の内周面によって、貯湯タンク２２の外周面を覆うとともに、第２の左側部７２の側端部７２ｃと第２の右側部７４の側端部７４ｃとを当接させ、側端部７２ｃ、７４ｃの段差同士を係合させる。これにより、第２の筒部７０が形成される。次いで、第２の筒部７０の下端部（即ち、下端部７２ａ、７４ａ）の段差を、リング部６０の上端開口縁６４の段差と係合させる（図５参照）。
【００４５】
次いで、上面部８０によって、貯湯タンク２２の上面の外周面を被覆する。この際、上面部８０の開口縁部８２の段差を、第２の筒部７０の上端部（即ち、上端部７２ｂ、７４ｂ）の段差と係合させる（図６参照）。
【００４６】
この結果、第２の筒部７０は、その下端部（即ち、下端部７２ａ、７４ａ）が、リング部６０の上端開口縁６４によって貯湯タンク２２方向に押圧されて保持されるとともに、その上端部（即ち、上端部７２ｂ、７４ｂ）が、上面部８０の開口縁部８２によって貯湯タンク２２方向に押圧されて保持される。従って、第２の筒部７０は、貯湯タンク２２の外周面を被覆した状態で保持される。このとき、第２の左側部７２と第２の右側部７４の内周面に備えられている真空断熱材１００も、それぞれ、貯湯タンク２２の外周面に押し付けられた状態で保持される。
【００４７】
最後に、第２の筒部７０に形成される２個の貫通孔７６を、閉塞板７８でそれぞれ閉塞する。
【００４８】
以上、本実施例の貯湯式給湯装置２の構成について説明した。上記の通り、本実施例では、発泡性断熱部材３０は、貯湯タンク２２の軸方向下方の外周面を覆う第１の筒部５０と、貯湯タンク２２の軸方向上方の外周面を覆う第２の筒部７０とを備え、第１の筒部５０と第２の筒部７０は、それぞれ、左側部５２、７２、右側部５４、７４を備えている。本実施例では、第１の筒部５０（第１の左側部５２と第１の右側部５４）、及び、第２の筒部７０（第２の左側部７２と第２の右側部７４）は、底面部４０、リング部６０、及び、上面部８０によって、貯湯タンク２２方向に押圧されて保持される。そのため、本実施例の断熱式貯湯装置２０によると、仮に貯湯タンク２２が大型化する場合であっても、比較的サイズの小さい第１の筒部５０（第１の左側部５２と第１の右側部５４）、及び、第２の筒部７０（第２の左側部７２と第２の右側部７４）を組み合わせて、貯湯タンク２２を被覆することができる。そのため、従来の断熱式貯湯装置における発泡性断熱部材のように、貯湯タンクの外周面の右半分全面を覆う右側部分と、貯湯タンクの外周面の左半分全面を覆う左側部分の二つの部材のみによって貯湯タンクを被覆する必要がない。従って、本実施例の断熱式貯湯装置２０によれば、例えば、貯湯タンク２２が大型である場合においても、発泡性断熱部材３０の着脱作業の作業効率の低下を抑制することができる。
【００４９】
また、本実施例では、第１の筒部５０、第２の筒部７０、底面部４０、リング部６０、及び、上面部８０によって、貯湯タンク２２の外側の全面を被覆することができる。従って、貯湯タンク２２に貯湯している温水の温度が低下することを効果的に防止することができる。
【００５０】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００５１】
（変形例１）  上記の実施例では、２個の筒部５０、７０によって略円柱状の貯湯タンク２２の外周面を覆うとともに、２個の筒部５０、７０の間は１個のリング部６０で保持している。これに限られず、３個以上の筒部によって貯湯タンク２２の外周面を覆い、各筒部の間をリング部で保持するようにしてもよい。その場合も、貯湯タンク２２の軸方向の最も下方に配置される筒部の下端部を、底面部４０で保持し、貯湯タンク２２の軸方向の最も上方に配置される筒部の上端部を、上面部８０で保持することが好ましい。
【００５２】
（変形例２）  上記の実施例では、図４に示すように、第１の筒部５０の下端部（即ち、下端部５２ａ、５４ａ）の段差と、底面部４０の開口縁部４２の段差とが、いずれも矩形に形成されている。これに限らず、第１の筒部５０の下端部（即ち、下端部５２ａ、５４ａ）の段差と、底面部４０の開口縁部４２の段差とに、テーパ部分が形成されていてもよい。テーパ部分が形成されていることにより、第１の筒部５０の下端部と、底面部４０の開口縁部４２とを、スムースに係合させることができる。同様に、第１の筒部５０の上端部（即ち、上端部５２ｂ、５４ｂ）の段差と、リング部６０の下端開口縁６２の段差とに、テーパ部分が形成されていてもよい。第２の筒部７０の下端部（即ち、下端部７２ａ、７４ａ）の段差と、リング部６０の上端開口縁６４の段差とに、テーパ部分が形成されていてもよい。また、第２の筒部７０の上端部（即ち、上端部７２ｂ、７４ｂ）の段差と、上面部８０の開口縁部８２の段差とに、テーパ部分が形成されていてもよい。
【符号の説明】
【００５３】
２     貯湯式給湯装置
４     筐体
４ａ   正面板材
４ｂ、４ｃ、４ｄ、４ｅ      板材
６     配設孔
８     作業孔
１０   枠体
１２   底板
１４   小取付板
１６   大取付板
２０   断熱式貯湯装置
２２   貯湯タンク
２４ａ、２４ｂ、２４ｃ      脚
２６   板材
３０   発泡性断熱部材
４０   底面部
４２   開口縁部
５０   第１の筒部
５２   第１の左側部
５２ａ 下端部
５２ｂ 上端部
５２ｃ 側端部
５２ｄ 切り欠き部
５３   固定部
５４   第１の右側部
５４ａ 下端部
５４ｂ 上端部
５４ｃ 側端部
５４ｄ 切り欠き部
５５   固定部
５６   貫通孔
５８   閉塞板
６０   リング部
６２   下端開口縁
６４   上端開口縁
７０   第２の筒部
７２   第２の左側部
７２ａ 下端部
７２ｂ 上端部
７２ｃ 側端部
７２ｄ 切り欠き部
７３   固定部
７４   第２の右側部
７４ａ 下端部
７４ｂ 上端部
７４ｃ 側端部
７４ｄ 切り欠き部
７５   固定部
７６   貫通孔
７８   閉塞板
８０   上面部
８２   開口縁部
８４   挿通孔
１００ 真空断熱材
【図１】
2013253727.tif 000003
【図２】
2013253727.tif 000004
【図３】
2013253727.tif 000005
【図４】
2013253727.tif 000006
【図５】
2013253727.tif 000007
【図６】
2013253727.tif 000008
【図７】
2013253727.tif 000009
【図８】
2013253727.tif 000010